(57)【要約】【課題】容易かつ均一に施工できるとともに、評価が可能となる、金具付きタイルを提供すること。【解決手段】建物の躯体壁面に設けたレールに嵌合するタイルであって、背面に前記レールを挿通可能なスペースを左右に亘って設け、前記スペース内に、前記レールに嵌合する嵌合金具を設けることを特徴とする、金具付きタイル。【選択図】図１
2014201877.tif 000002
【特許請求の範囲】
【請求項１】
建物の躯体壁面に設けたレールに嵌合するタイルであって、
背面に前記レールを挿通可能なスペースを左右に亘って設け、
前記スペース内に、前記レールに嵌合する嵌合金具を設けることを特徴とする、
金具付きタイル。
【請求項２】
請求項１に記載の金具付きタイルを用いた壁構造であって、
前記レールは壁面に接する壁面固定部と、前記壁面固定部の上端から壁面を離れる方向に延設するとともに端部を上方に折曲して形成する上係止部と、前記壁面固定部の下端から壁面を離れる方向に延設するとともに端部を下方に折曲して形成する下係止部と、からなり、
前記嵌合金具は上端から延設する上係合片と、下端から延設する下係合片と、を有し、
前記レールの前記上係止部に前記上係合片を係止するとともに、前記下係止部に前記下係合片を係止して、前記レールと前記金具付きタイルの前記嵌合金具とを嵌合することを特徴とする、
壁構造。
【請求項３】
請求項２に記載の壁構造において、
前記レールの下係止部は、前記嵌合金具の下係合片の幅よりも大きな切り欠きを有し、
前記上係止部に前記上係合片を係止した後に、前記切り欠きに前記下係合片を嵌め込み、前記金具付きタイルを横方向に摺動して、前記下係止部に前記下係合片を係止することを特徴とする、
壁構造。
【請求項４】
請求項２に記載の壁構造において、
前記レールの上係止部は、前記嵌合金具の上係合片の幅よりも大きな切り欠きを有し、
前記下係止部に前記下係合片を係止した後に、前記切り欠きに前記上係合片を嵌め込み、前記金具付きタイルを横方向に摺動して、前記上係止部に前記上係合片を係止することを特徴とする、
壁構造。
【請求項５】
請求項２乃至請求項４のいずれか一項に記載の壁構造において、
前記壁面の表面にはパネルを設け、
前記パネルの表面に前記レールを複数本配置することを特徴とする、
壁構造。
【発明の詳細な説明】
【技術分野】
【０００１】
本発明は、建物の壁仕上げに用いる金具付きタイル及び金具付きタイルを用いた壁構造に関するものである。
【背景技術】
【０００２】
建物の躯体壁面にタイルを配置し、タイルによって外装仕上げを行う工法として、カーニバル工法が知られている。
カーニバル工法は、壁面にステンレス製のレールを配置し、タイルの裏足とレールとを嵌合して配置するものである。
タイルを嵌合する際には、裏足の上側をレールの上凸部に係合して、レール下部の弾性を利用して裏足の下側をレールに嵌合する。（図７）
【発明の概要】
【発明が解決しようとする課題】
【０００３】
しかし、従来のカーニバル工法には、以下のような課題があった。
（１）タイルの裏足とレールを嵌合するが、裏足の形状はタイルごとに異なる他、製造ロットの違いや材質の違い等による寸法誤差やそり等がある。このため、嵌合したタイルにがたつきが生じることがあった。
（２）タイル裏足の形状によってがたつきが生じたり、レールと嵌合しにくかったりする為、メーカーや施工者によって仕上がりが異なってしまう。
（３）タイル裏足の形状によってタイルとレールの嵌合の度合いが異なるため、評価のための破壊実験でも破壊箇所が定まらずに結果にばらつきが出てしまい、評価が困難である。
（４）レールの弾性を利用してタイルを嵌合するため、レールは弾性を有する厚さが薄い（0.3mm）ステンレスによって構成する。薄いステンレス製のレールは熱膨張・収縮がおこりやすく、膨張・収縮がタイルに与える影響を少なくするためにレールを固定するアンカーのピッチを小さくする必要があり、作業性が悪い。
【０００４】
本発明の目的は、容易かつ均一に施工できるとともに、評価が可能となる、金具付きタイル及び金具付きタイルを用いた壁構造を提供することを目的とする。
【課題を解決するための手段】
【０００５】
上記目的を達成するためになされた本願の第１発明は、建物の躯体壁面に設けたレールに嵌合するタイルであって、背面に前記レールを挿通可能なスペースを左右に亘って設け、前記スペース内に、前記レールに嵌合する嵌合金具を設けることを特徴とする、金具付きタイルを提供する。
本願の第２発明は、第１発明の金具付きタイルを用いた壁構造であって、前記レールは、壁面に接する壁取付部と、前記壁取付部の上端から壁面を離れる方向に延設するとともに端部を上方に折曲して形成する上係止部と、前記壁取付部の下端から壁面を離れる方向に延設するとともに端部を下方に折曲して形成する下係止部と、からなり、前記嵌合金具は上端から延設する上係合片と、下端から延設する下係合片と、を有し、前記金具付きタイルは、前記レールの前記上係止部に前記上係合片を係止するとともに、前記下係止部に前記下係合片を係止して、前記レールと前記金具付きタイルの前記嵌合金具とを嵌合することを特徴とする、壁構造を提供する。
本願の第３発明は、第２発明の壁構造において、前記レールの下係止部には、前記嵌合金具の下係合片の幅よりも大きな切り欠きを設け、前記上係止部に前記上係合片を係止した後に、前記切り欠きに前記下係合片を嵌め込み、前記金具付きタイルを横方向に摺動して、前記下係止部に前記下係合片を係止することを特徴とする、壁構造を提供する。
本願の第４発明は、第２発明の壁構造において、前記レールの上係止部は、前記嵌合金具の上係合片の幅よりも大きな切り欠きを有し、前記下係止部に前記下係合片を係止した後に、前記切り欠きに前記上係合片を嵌め込み、前記金具付きタイルを横方向に摺動して、前記上係止部に前記上係合片を係止することを特徴とする、壁構造を提供する。
本願の第５発明は、第２発明乃至第４発明のいずれかの壁構造において、前記壁面の表面にはパネルを設け、前記パネルの表面に前記レールを複数本配置することを特徴とする、壁構造を提供する。
【発明の効果】
【０００６】
本発明は、上記した課題を解決するための手段により、次のような効果の少なくとも一つを得ることができる。
＜１＞タイルに嵌合金具を設けることにより、金物同士の嵌合となり、施工したタイルにがたつきが生じない。
＜２＞タイルにがたつきが生じないため、メーカーや施工者が違っても均一の仕上がりとなる。
＜３＞タイルの取り付けが金物同士の嵌合となるため、破壊箇所が金物部分となり、破壊実験による評価が可能となる。
＜４＞弾性による嵌合を行わないため、レールに弾性が不要となり、ステンレスに限らず、アルミも使用することができ、レールの厚さも任意に選択できる。
＜５＞レールの厚みを大きくすると、レールの膨張・収縮が少なくなり、レールを固定するアンカーのピッチを大きくすることができ、作業性が向上する。
＜６＞金物同士を嵌合させるため、タイルの形状や厚さは任意に選択することができる。
【図面の簡単な説明】
【０００７】
【図１】本発明の壁構造の説明図
【図２】金具付きタイルの裏面斜視図
【図３】金具付きタイルとレールの嵌合状態の説明図
【図４】金具付きタイルとレールの嵌合方法の説明図
【図５】切り欠きを下係止部に設けたときの壁構造の説明図
【図６】パネルを用いた本発明の壁構造の説明図
【図７】従来のカーニバル工法の説明図
【発明を実施するための形態】
【０００８】
以下、図面を参照しながら本発明の実施の形態について説明する。
【実施例】
【０００９】
（１）壁構造の概要
本発明の壁構造は、建物の壁仕上げをタイルにより行うものである。
タイルは金具付きタイル１０であり、建物の壁面３０に設けたレール２０に金具付きタイル１０を嵌合することで、建物の壁面３０に固定する。（図１）
【００１０】
（２）金具付きタイルの構成
金具付きタイル１０は平面視矩形の板体である。
金具付きタイル１０の断面は、上下する金具付きタイル１０が嵌合するように適宜凹凸を設けることができる。
金具付きタイル１０の背面には、左右に亘って直線状のスペース１１を設ける。（図２）
スペース１１はレール２０を挿通して納めることが可能な形状とする。
スペース１１内には嵌合金具１２を設ける。
【００１１】
（２−１）嵌合金具
嵌合金具１２は、アルミやステンレスからなる。
嵌合金具１２は、金具付きタイル１０のスペース１１に嵌合して固定する。嵌合金具１２の嵌合は、スペース１１に嵌合金具１２を引っかけて嵌め込んだり、スペース１１の端部から嵌合金具１２を摺動することにより行う。嵌合金具１２は、接着剤等を用いて固定してもよい。
嵌合金具１２は、スペース１１内において上端及び下端を金具付きタイル１０の背面方向に折曲し、上係合片１２１及び下係合片１２２を延設する。上係合片１２１は下向きとし、下係合片１２２は上向きとする。（図３）
嵌合金具１２は、一枚の金具付きタイル１０に少なくとも一個取り付ける。
【００１２】
（３）レール
レール２０は建物の壁面３０に取り付ける長尺の部材である。
レール２０はアルミやステンレスからなる。
レール２０は従来のカーニバル工法のように、レール２０の弾性を利用して施工するものではないため、嵌合金具１２に嵌合可能であれば、レール２０の厚さは任意に選択できる。
レール２０は壁面３０に固定する壁面固定部２１、壁面固定部２１の上端から壁面３０を離れるように延設し端部を上方に折曲する上係止部２２、及び、壁面固定部２１の下端から壁面３０を離れるように延設し端部を下方に折曲する下係止部２３からなる。
レール２０は壁面固定部２１に挿通孔２１１を設けて、壁面３０に設けたアンカー３１を挿通孔２１１に挿通して、ナット３２により壁面３０に固定する。
レール２０は任意の厚さを選択できるため、レール２０の厚みを大きくした場合には、レール２０の膨張・収縮が少なくなり、レール２０を固定するアンカー３１のピッチを大きくすることができ、作業性が向上する。
【００１３】
（４）金具付きタイルとレールの嵌合形態
金具付きタイル１０の嵌合金具１２とレール２０は嵌合する構造とする。
具体的には、嵌合金具１２の上係合片１２１とレール２０の上係止部２２が係合し、嵌合金具１２の下係合片１２２とレール２０の下係止部２３が係合して、金具付きタイル１０とレール２０とが嵌合する。
金具付きタイル１０は左右に亘ってスペース１１を設けており、スペース１１内にレール２０が納まる。
【００１４】
（５）金物同士の嵌合
金具付きタイル１０は、嵌合金具１２とレール２０の、金物同士の嵌合となる。
このため、施工した金具付きタイル１０にはがたつきが生じず、メーカーや施工者が違ったり、異なる金具付きタイル１０を用いても、均一の仕上がりとなる。
また、金物同士の嵌合となるため、破壊箇所が金物部分となり、破壊実験による評価が可能となる。
また、金具付きタイル１０のスペース１１に設けた嵌合金具１２によって嵌合するため、スペース１１の多少の大小があっても均一な嵌合となる。
【００１５】
（６）金具付きタイルとレールの嵌合方法
上述した嵌合形態は、レール２０の端部において嵌合金具１２とレール２０を嵌合させて、金具付きタイル１０を摺動することにより構築することができるが、レール２０の下係止部２３に、切り欠き２４を設けてもよい。
切り欠き２４の幅は嵌合金具１２の下係合片１２２の幅よりも大きくする。これにより下係合片１２２を切り欠き２４から壁面３０側に嵌め込むことができる。
まず、レール２０の上係止部２３に嵌合金具１２の上係合片１２１を引っかけて、次に下係合片１２２を切り欠き２４に嵌め込む（図４ａ）。そして、下係合片１２２を壁面３０側に位置させて金具付きタイル１０を横方向に摺動することにより、下係合片１２２と下係止部２３を係合する。（図４ｂ）
切り欠き２４の間隔は、金具付きタイル１０に複数の嵌合金具１２を設ける場合には、隣り合う嵌合金具１２の間隔と同じにする。
切り欠き２４は、レール２０の上係止部２２に設けてもよい。（図５）
【００１６】
（７）金具付きタイルとレールによる壁構造
このように、壁面３０に設けたレール２０に複数の金具付きタイル１０の嵌合・摺動を繰り返して、複数の金具付きタイル１０を配置した壁構造とすることができる。
【００１７】
［その他実施例］
上記実施例においては、壁面３０にレール２０を設けたが、予めパネル４０に複数のレール２０を配置しておき、パネル４０を壁面３０に取り付けて、その後レール２０に金具付きタイル１０を取り付けてもよい。（図６）
パネル４０には複数のレール２０を配置しているため、一度に複数のレール２０を壁面３０に配置することができる。
【符号の説明】
【００１８】
１０      金具付きタイル
１１      スペース
１２      嵌合金具
１２１    上係合片
１２２    下係合片
２０      レール
２１      壁面固定部
２１１    挿通孔
２２      上係止部
２３      下係止部
２４      切り欠き
３０      壁面
３１      アンカー
３２      ナット
４０      パネル
【図１】
2014201877.tif 000003
【図２】
2014201877.tif 000004
【図３】
2014201877.tif 000005
【図４】
2014201877.tif 000006
【図５】
2014201877.tif 000007
【図６】
2014201877.tif 000008
【図７】
2014201877.tif 000009